(57)【要約】【課題】戒名等を記載する霊標部分だけを個々の霊標石板として加えたり、或いは除いたりすることができ、全体として屋根のついた豪華で威厳のある霊標立の提供を課題とする。【解決手段】長尺の石基台１０と一対の石支柱２０と複数枚の霊標石板３０と屋根となる笠石４０とからなり、石基台１０の上面にはその両端付近に石支柱２０を立設するための一対の嵌合穴部１１を形成すると共に嵌合穴部１１間に霊標石板３０の下端部を受け入れて立設するための浅い立設溝１２を形成し、笠石４０の下面には石支柱２０と嵌合する一対の嵌合凹部を形成すると共に複数の霊標石板３０を受け入れる受入溝を形成し、該受入溝は霊標石板３０を受入溝の奥まで入れることで霊標石板の下端部を石基台１０の立設溝１２から上方へ浮かせると共に立設溝１２から外れた方向に移動させて脱出させることができる構成とした。【選択図】　　　　図２
0003098472.tif 000002
【実用新案登録請求の範囲】
【請求項１】
長尺の石基台と、該石基台上に立設される左右一対の石支柱と、該一対の石支柱の間に立設して並べられる複数枚の霊標石板と、該霊標石板及び前記一対の石支柱の上に嵌め合わされて屋根となる笠石とからなり、前記石基台の上面にはその両端付近にそれぞれ前記一対の石支柱を立設するための一対の嵌合穴部を形成すると共に該一対の嵌合穴部間に前記並設される複数の霊標石板の下端部を受け入れて立設するための浅い立設溝を形成し、前記笠石の下面には前記一対の石支柱と嵌合する一対の嵌合凹部を形成すると共に前記並設される複数の霊標石板を受け入れる受入溝を形成し、且つ該笠石の受入溝は霊標石板を受入溝の奥まで入れることで該霊標石板の下端部を石基台の立設溝から上方へ浮かせると共に立設溝から外れた方向に移動させて脱出させることができる構成としてあることを特徴とする霊標立。
【請求項２】
笠石下面の受入溝の深さは、霊標石板が石基台の立設溝及び笠石の受入溝に嵌り込んで立設している状態で、霊標石板の上端から受入溝の溝底までの間隙が前記石基台の立設溝の深さよりも大きくなるように、その深さを構成していることを特徴とする請求項１に記載の霊標立。
【請求項３】
笠石下面の受入溝は、その溝の長手方向に直角な方向における断面形状において、受入溝に差し込まれた霊標石板がその受入溝に対する直角な方向から前後２方向若しくは１方向に傾いた状態にできるように傾斜側面が構成されていることを特徴とする請求項１又は２に記載の霊標立。
【請求項４】
霊標石板を石基台の立設溝に嵌め込んで立設した状態で、前記霊標石板が立設溝から抜け出るのを防止する角棒石を立設溝に沿って配置するようにしたことを特徴とする請求項１〜３の何れかに記載の霊標立。
【請求項５】
一対の石支柱には、該一対の石支柱の間に立設して並べられる複数枚の霊標石板のうち両端にある霊標石板の側縁を受け入れる縦嵌合溝が形成されていることを特徴とする請求項１〜４の何れかに記載の霊標立。
【請求項６】
長尺の石基台と、該石基台上に立設される左右一対の石支柱と、該一対の石支柱の間に立設して並べられる複数枚の霊標石板と、該霊標石板及び前記一対の石支柱の上に配置されて屋根となる笠石と、前記一対の石支柱の間に立設されて並べられる複数枚の霊標石板をその下部及び上部で両側から挟持する上下各一対の挟持用角棒石とからなり、前記石基台の上面にはその両端付近にそれぞれ前記一対の石支柱を立設するための一対の嵌合穴部を形成し、前記一対の石支柱にはその上端付近に前記挟持用角棒石の一対の両端部を載せて水平方向に保持する載置段部を形成し、前記笠石の下面にはその両端付近に前記一対の支柱と嵌合する一対の嵌合凹部を形成していることを特徴とする霊標立。
【請求項７】
一対の石支柱には、該一対の石支柱の間に立設して並べられる複数枚の霊標石板のうち両端にある霊標石板の側縁を受け入れる縦嵌合溝が形成されていることを特徴とする請求項６に記載の霊標立。
【考案の詳細な説明】
【０００１】
【考案の属する技術分野】
本考案は霊標立に関する。
【０００２】
【従来の技術】
元来、霊標は、墓石の後面に戒名等を書ききれなくなった場合に、別に追加の戒名等を書くために用いられるようになったものである。
従来における霊標は、通常、基板となる石の上に一枚石として平板状の霊標板を立設した、比較的簡素なものであった。
【０００３】
【考案が解決しようとする課題】
ところが前記のような一枚板からなる霊標は、戒名等を新しく加える際には、その一枚板の霊標に新たに戒名等の文字を彫って加える必要があり、重い一枚板の石の全体を持ち運ぶ必要が生じたり、また戒名等を空いているどの位置に加えるか、或いはスペースとして残しておく部分をどうするか等、問題があった。また霊標としての豪華さや威厳等において物足らないところもあった。
【０００４】
そこで本考案は上記従来の問題点を解消し、戒名等を新たに加える場合であっても、その加えるべき戒名の霊標部分だけを個々の霊標石板として加えたり、或いは除いたりすることができ、且つ全体として屋根のついた豪華で威厳のある霊標立の提供を課題とする。
【０００５】
【課題を解決するための手段】
上記課題を達成するため、本考案の霊標立は、長尺の石基台と、該石基台上に立設される左右一対の石支柱と、該一対の石支柱の間に立設して並べられる複数枚の霊標石板と、該霊標石板及び前記一対の石支柱の上に嵌め合わされて屋根となる笠石とからなり、前記石基台の上面にはその両端付近にそれぞれ前記一対の石支柱を立設するための一対の嵌合穴部を形成すると共に該一対の嵌合穴部間に前記並設される複数の霊標石板の下端部を受け入れて立設するための浅い立設溝を形成し、前記笠石の下面には前記一対の石支柱と嵌合する一対の嵌合凹部を形成すると共に前記並設される複数の霊標石板を受け入れる受入溝を形成し、且つ該笠石の受入溝は霊標石板を受入溝の奥まで入れることで該霊標石板の下端部を石基台の立設溝から上方へ浮かせると共に立設溝から外れた方向に移動させて脱出させることができる構成としてあることを第１の特徴としている。
また本考案の霊標立は、上記第１の特徴に加えて、笠石下面の受入溝の深さは、霊標石板が石基台の立設溝及び笠石の受入溝に嵌り込んで立設している状態で、霊標石板の上端から受入溝の溝底までの間隙が前記石基台の立設溝の深さよりも大きくなるように、その深さを構成していることを第２の特徴としている。
また本考案の霊標立は、上記第１又は第２の特徴に加えて、笠石下面の受入溝は、その溝の長手方向に直角な方向における断面形状において、受入溝に差し込まれた霊標石板がその受入溝に対する直角な方向から前後２方向若しくは１方向に傾いた状態にできるように傾斜側面が構成されていることを第３の特徴としている。
また本考案の霊標立は、上記第１〜第３の何れかの特徴に加えて、霊標石板を石基台の立設溝に嵌め込んで立設した状態で、前記霊標石板が立設溝から抜け出るのを防止する角棒石を立設溝に沿って配置するようにしたことを第４の特徴としている。
また本考案の霊標立は、上記第１〜第４の何れかの特徴に加えて、一対の石支柱には、該一対の石支柱の間に立設して並べられる複数枚の霊標石板のうち両端にある霊標石板の側縁を受け入れる縦嵌合溝が形成されていることを第５の特徴としている。
また本考案の霊標立は、長尺の石基台と、該石基台上に立設される左右一対の石支柱と、該一対の石支柱の間に立設して並べられる複数枚の霊標石板と、該霊標石板及び前記一対の石支柱の上に配置されて屋根となる笠石と、前記一対の石支柱の間に立設されて並べられる複数枚の霊標石板をその下部及び上部で両側から挟持する上下各一対の挟持用角棒石とからなり、前記石基台の上面にはその両端付近にそれぞれ前記一対の石支柱を立設するための一対の嵌合穴部を形成し、前記一対の石支柱にはその上端付近に前記挟持用角棒石の一対の両端部を載せて水平方向に保持する載置段部を形成し、前記笠石の下面にはその両端付近に前記一対の支柱と嵌合する一対の嵌合凹部を形成していることを第６の特徴としている。
また本考案の霊標立は、上記第６の特徴に加えて、一対の石支柱には、該一対の石支柱の間に立設して並べられる複数枚の霊標石板のうち両端にある霊標石板の側縁を受け入れる縦嵌合溝が形成されていることを第７の特徴としている。
【０００６】
【考案の実施の形態】
以下の図面を参照して、本考案の実施形態を説明する。
図１〜図７は本考案に係る霊標立の第１の実施形態を示し、図１は全体斜視図、図２は分解斜視図、図３は笠石の正面図、図４は図３のＡ−Ａ断面図、図５は笠石の底面図、図６は霊標立の縦断面図である。
図７〜図１３は本考案に係る霊標立の第２の実施形態を示し、図７は全体斜視図、図８は分解斜視図、図９は笠石の正面図、図１０は笠石の底面図、図１１は笠石の側面図、図１２は図９のＢ−Ｂ断面図、図１３は霊標立の縦断面図である。
図１４〜図１６は本考案に係る霊標立の第３の実施形態を示し、図１４は全体斜視図、図１５は分解斜視図、図１６は霊標立の縦断面図である。
【０００７】
図１〜図６を参照して本考案の第１の実施形態を説明する。
第１の実施形態に係る霊標立は、石基台１０と、該石基台１０上に立設される左右一対の石支柱２０、２０と、該一対の石支柱２０、２０の間に立設して並べられる複数枚の霊標石板３０と、該複数枚の霊標石板３０及び前記一対の石支柱２０、２０の上に嵌め合わされて屋根となる笠石４０とからなる。
【０００８】
前記石基台１０は、例えば上面と底面が両側面よりも大きく形成された平たい長尺の直方体形状或いは台形形状を呈しており、上面にはその両端付近に、一対の嵌合穴部１１、１１が形成されている。
また前記石基台１０の上面の中央部で前記一対の嵌合穴部１１、１１間に、前記複数枚の霊標石板３０の下端部を受け入れて立設するための浅い立設溝１２を形成している。
【０００９】
前記一対の石支柱２０、２０は、その下部を前記石基台１０の嵌合穴部１１、１１に嵌め込むことで立設される。勿論、石支柱２０の底部に前記嵌合穴部１１に嵌合させるための突出部を形成するようにした構成としてもよい。
一対の石支柱２０、２０は、本実施形態のように左右で大きさや形等の寸法が異なってもよく、勿論、同じものであってもよい。
【００１０】
前記霊標石板３０は、戒名やその他の事柄を書き入れる石板で、複数枚を側面で相互に接するようにして並べることができるように、縦長の長方形状の板としている。この霊標石板３０は、その下端部が前記石基台１０の浅い立設溝１２に嵌め合わせられ、またその上端部を後述する笠石４０の受入溝４２に嵌め合わされる。
【００１１】
前記笠石４０は、その下面において、その両端付近に前記一対の支柱２０、２０と嵌合する一対の嵌合凹部４１、４１を形成している。
また笠石４０の下面の中央部で前記一対の嵌合凹部４１、４１間に、前記複数枚の霊標石板３０の上端部を受け入れる受入溝４２を形成している。
前記受入溝４２の機能として、その受入溝４２の奥まで霊標石板３０の上端部を差し入れると、霊標石板３０の下端部が前記石基板１０の立設溝１２から上方に浮いた状態となり、且つその浮いた状態で霊標石板３０の下端部を前記立設溝１２から外れた方向、例えば立設溝１２に対して直角に交わる方向に移動させることができるように構成されている。これによって笠石４０が支柱２０に嵌合した状態で、所望の霊標石板３０だけを取り外し或いは取り付けることができる。なお前記霊標石板３０の上端部に、全体に丸みを付けておくと、笠石４０からの取り付け、取り外しの際に便利である。
【００１２】
前記笠石４０の受入溝４２は、霊標石板３０が石基台１０の立設溝１２及び笠石４０の受入溝４２に嵌り込んで立設している状態で、霊標石板３０の上端から受入溝４２の底４２ａまでの間隙Ｓが前記立設溝１２の深さよりも大きくなるように、その深さを構成している。これによって霊標石板３０を受入溝４２の奥まで差し上げると、霊標石板３０の下端部を立設溝１２から上方に浮き上がらせることができる。
また笠石４０の受入溝４２の形状は、その受入溝４２の長手方向に直角な方向における断面形状において（図４参照）、受入溝４２の側面を傾斜側面４２ｂ、４２ｂとしている。この実施形態では、受入溝４２の受入口から底４２ａにいくにつれて溝幅が広くなるように両側面を傾斜側面４２ｂ、４２ｂとしている。この傾斜側面４２ｂを形成することで、霊標石板３０を傾斜側面４２ｂに沿って傾けることができ、霊標石板３０の下端部を石基台１０の立設溝１２から側方に脱出させると共に、受入溝４２からも霊標石板３０の上端部を脱出させることができる。
本実施形態における笠石４０では、受入溝４２の両側面を傾斜側面４２ｂとしているので、霊標石板３０を立設溝１２から、その直角方向の両方向の何れにも脱出させることができる。
【００１３】
霊標立の組み立ては、先ず石基台１０の一対の嵌合穴部１１、１１に一対の石支柱２０、２０を嵌め合わせて立設し、次に前記一対の石支柱２０、２０間の立設溝１２に複数の霊標石板３０を倒れないように仮立設する。しかる後に笠石４０をその一対の嵌合凹部４１、４１で一対の石支柱２０、２０に嵌め合わせると共に、受入溝４１を仮立設している霊標石板３０に嵌め合わせ、組み立てを完了する。そして必要に応じて、立設されている複数の霊標石板３０の内の一部を霊標立から取り外し、また取り付ける。
勿論、石基板１０と一対の石支柱２０、２０と笠石４０とを予め組み立てておき、霊標石板３０を後から１つ１つ嵌め込んでゆくこともできる。
【００１４】
図７〜図１３に沿って、本考案の第２の実施形態に係る霊標立を説明する。
本実施形態の霊標立においても、石基台１０、石支柱２０、霊標石板３０、笠石４０から構成される。第２の実施形態では、これらに加えて、角棒石５０が用いられる。
【００１５】
前記石基台１０には、第１の実施形態の場合と同様に、一対の石支柱２０、２０を立設するための一対の嵌合穴部１１、１１が形成されており、その一対の嵌合穴部１１、１１の間には浅い立設溝１２が設けられている、これらの機能は上記第１の実施形態における霊標立の場合と同様である。
前記一対の石支柱２０、２０は、本実施形態の場合、その底部に突出部２１を形成して、該突出部２１で前記石基台１０の嵌合穴部１１に嵌め込むことにより、石支柱２０を立設させる。
また一対の石支柱２０、２０の上端部にも突出部２２を形成し、この突出部２２で笠石４０の嵌合凹部４１に嵌め込むようにしている。
【００１６】
第２の実施形態における一対の石支柱２０、２０においては、相互に対向する面の中央に縦嵌合溝２３を形成している。この縦嵌合溝２３は、一対の石支柱２０、２０の間に立設して並べられる複数枚の霊標石板３０のうち、両端にある霊標石板３０の側縁を受け入れる。縦嵌合溝２３を石支柱２０に形成することで、霊標立を組み立てた際に、一対の石支柱２０、２０間に並んで立設される霊標石板３０の立設状況がより確実なものとなる。
なお石支柱２０には、適当な彫刻模様を彫ることができる。本実施形態では水平な切り込み模様２４を適当な間隔で石支柱２０に形成している。
【００１７】
前記笠石４０には、石支柱２０の突出部２２と嵌合する嵌合凹部４１と、霊標石板３０の上端部を受け入れる受入溝４２を設けている。本実施形態に場合は、第１の実施形態の場合と異なり、受入溝４２と嵌合凹部４１とは少し間を開けて形成されている。
【００１８】
第２の実施形態における前記笠石４０の受入溝４２の機能は、第１の実施形態の場合と同様に、その受入溝４２の底４２ａまで霊標石板３０の上端部を差し入れると、霊標石板３０の下端部が前記石基板１０の立設溝１２から上方に浮いた状態となり、且つその浮いた状態で霊標石板３０の下端部を前記立設溝１２から外れた方向、例えば立設溝１２に対して直角に交わる方向に移動させることができるように構成されている。これによって笠石４０が支柱２０に嵌合した状態で、所望の霊標石板３０だけを取り外し、或いは取り付けることができる。
ただし本実施形態の場合は、上記第１の実施形態の場合と異なり、霊表石板３０の取り外し方向は、一方向だけである。即ち図１２を参照して、受入溝４２は、その片方の側面を傾斜側面４２ｂとし、受入溝４２の受入口から底４２ａにいくにつれて溝幅が広くなるように構成している。そして該傾斜側面４２ｂと反対側の側面については、受入溝４２の受入口付近をカット面４２ｃとして、霊標石板３０を斜めにした状態で受入溝４２から抜き出しやすくしている。
なお第２の実施形態の場合も、霊標石板３０の上端部の両角部分に丸みを付けておくと、笠石４０からの取り付け、取り外しの際に便利である。
【００１９】
また前記受入溝４２は、第１実施形態の場合と同様に、霊標石板３０が石基台１０の立設溝１２に及び笠石４０の受入溝４２に嵌り込んで立設している状態で、霊標石板３０の上端から受入溝４２の底４２ａまでの間隙Ｓが前記立設溝１２の深さよりも大きくなるように、その深さを構成している。これによって霊標石板３０を受入溝４２の奥まで差し上げると、霊標石板３０の下端部が立設溝１２から上方に浮き上がらせることができる。
【００２０】
図１３を参照して、角棒石５０は石基台１０上において立設溝１２に沿って置かれるが、霊標石板３０が立設溝１２から抜き出される側に置かれる。この角棒石５０の存在により、立設されている霊標石板３０が何らかの理由により不用意に外れるのを防止することができる。
霊標石板３０を取り外す場合は、角棒石５０を退けた後、目的の霊標石板３０を持ち上げて、その下端部を立設溝１２から浮き上がらせ、次いで浮いた状態で霊標石板３０の下端部を前記立設溝１２から外れた所定の一方方向（図１３において右方向）に移動させて立設溝１２から外し、更に霊標石板３０の上端部を笠石４０の受入溝４２からも抜き出す。これによって笠石４０が支柱２０に嵌合した状態で、所望の霊標石板３０だけを取り外し、或いは取り付けることができる。
【００２１】
図１４〜図１６に沿って、本考案の第３の実施形態に係る霊標立を説明する。本実施形態においても、石基台１０、一対の石支柱２０、２０、霊標石板３０、笠石４０を用いて霊標立を構成している。ただし、本実施形態では石基台１０には霊標石板３０を立てるための立設溝１２を形成していない（第１、２実施形態においては形成している）。また笠石４０には受入溝４２を形成していない（第１、２実施形態においては形成している）。更に本第３の実施形態では、角棒石５０を二対、計４本設けて、霊標石板３０を立設状態に両側から挟持するようにした点である。
【００２２】
第３の実施形態において、石基台１０には、その両端付近に石支柱２０との嵌合穴部１１、１１を形成している。
また一対の石支柱２０、２０には、その底部と上端部にそれぞれ突出部２１、２２を形成している。また一対の石支柱２０、２０の相互に対向する面の中央にそれぞれ縦嵌合溝２３、２３を形成している。
更に一対の石支柱２０、２０には、その上端付近に一対の角棒石５０、５０を載せるための載置段部２５、２５を形成している。この載置段部２５に一対の角棒石５０、５０の両端部を載せて水平方向に保持し、これによって霊標石板３０の上部をその両側から挟持する。
前記４本の角棒石５０の残る２本は石基台１０上に置かれ、霊標石板３０の下部を両側から挟持する。４本の角棒石５０によって霊標石板３０が立設状態に保持される。
【００２３】
前記笠石４０には、その下面に前記石支柱２０の上端部に形成された突出部２２と嵌合する嵌合凹部（第１、２実施形態の嵌合凹部４１に相当する）が形成されている。
【００２４】
以上のように第３実施形態では、霊標石板３０は一対の石支柱２０、２０の間の石基台１０上に立てられた状態で、４本の角棒石５０によって挟持されて立設支持される。
【００２５】
【考案の効果】
本考案は以上の構成、作用よりなり、請求項１に記載の霊標立によれば、長尺の石基台と、該石基台上に立設される左右一対の石支柱と、該一対の石支柱の間に立設して並べられる複数枚の霊標石板と、該霊標石板及び前記一対の石支柱の上に嵌め合わされて屋根となる笠石とからなり、前記石基台の上面にはその両端付近にそれぞれ前記一対の石支柱を立設するための一対の嵌合穴部を形成すると共に該一対の嵌合穴部間に前記並設される複数の霊標石板の下端部を受け入れて立設するための浅い立設溝を形成し、前記笠石の下面には前記一対の石支柱と嵌合する一対の嵌合凹部を形成すると共に前記並設される複数の霊標石板を受け入れる受入溝を形成し、且つ該笠石の受入溝は霊標石板を受入溝の奥まで入れることで該霊標石板の下端部を石基台の立設溝から上方へ浮かせると共に立設溝から外れた方向に移動させて脱出させることができる構成としてあるので、
石基台と一対の石支柱と笠石とによって、複数枚の霊標石板を立設して保持することができ、また屋根付きで総石造りの、豪華で威厳のある霊標立を提供することができる。
しかも複数枚の霊標石板は、それぞれ必要に応じて自由に霊標立から取り出し、戒名等の記載（彫刻）を新たに行い或いはその他の必要な作業を行い、しかる後に元に戻すことができる。即ち、戒名等の新たな彫刻等の作業を、その霊標石板だけを作業場まで運んで行うことができる。また霊標石板に必要な彫刻を施した後、墓地まで運んで新たに霊標として加えることができる。
従って一種の加除式の霊標立として、霊標を取り扱う際の自由度が大きい。
勿論、組み合わせた石基台、石支柱、笠石、霊標石板は、それらを組み解くこともできる。
また請求項２に記載の霊標立によれば、上記請求項１に記載の構成による効果に加えて、笠石下面の受入溝の深さは、霊標石板が石基台の立設溝及び笠石の受入溝に嵌り込んで立設している状態で、霊標石板の上端から受入溝の溝底までの間隙が前記石基台の立設溝の深さよりも大きくなるように、その深さを構成しているので、
石基台と一対の石支柱と笠石とから霊標立が完成している状態において、霊標石板を後から立設する場合は、その石板の上端部を笠石の受入溝の奥まで入れ、しかる後に霊標石板の下端部を立設溝の上に位置付け、そして立設溝内に嵌め込むことで、容易に霊標石板を追加して立設することができる。また立設状態の霊標石板を取り外す場合も、前記と逆の手順で容易に取り外すことができる。
また請求項３に記載の霊標立によれば、上記請求項１又は２に記載の構成による効果に加えて、笠石下面の受入溝は、その溝の長手方向に直角な方向における断面形状において、受入溝に差し込まれた霊標石板がその受入溝に対する直角な方向から前後２方向若しくは１方向に傾いた状態にできるように傾斜側面が構成されているので、
霊標石板を後から霊標立に立設する場合或いは霊標石板を霊標立から取り外す場合に、霊標石板を石基台の立設溝から外れた方向に容易に傾けることができ、霊標石板の取り付け、取り外しを容易に行うことができる。
また請求項４に記載の霊標立によれば、上記請求項１〜３に記載の構成による効果に加えて、霊標石板を石基台の立設溝に嵌め込んで立設した状態で、前記霊標石板が立設溝から抜け出るのを防止する角棒石を立設溝に沿って配置するようにしたので、
角棒石により、霊標立に対して着脱自在に立設した霊標石板が何らかの具合で霊標立から外れてしまうのを防止することができる。
また請求項５に記載の霊標立によれば、上記請求項１〜３に記載の構成による効果に加えて、一対の石支柱には、該一対の石支柱の間に立設して並べられる複数枚の霊標石板のうち両端にある霊標石板の側縁を受け入れる縦嵌合溝が形成されているので、
一対の石支柱間に並んで立設される霊標石板の立設を、より確実なものとすることができる。
また請求項６に記載の霊標立によれば、長尺の石基台と、該石基台上に立設される左右一対の石支柱と、該一対の石支柱の間に立設して並べられる複数枚の霊標石板と、該霊標石板及び前記一対の石支柱の上に配置されて屋根となる笠石と、前記一対の石支柱の間に立設されて並べられる複数枚の霊標石板をその下部及び上部で両側から挟持する上下各一対の挟持用角棒石とからなり、前記石基台の上面にはその両端付近にそれぞれ前記一対の石支柱を立設するための一対の嵌合穴部を形成し、前記一対の石支柱にはその上端付近に前記挟持用角棒石の一対の両端部を載せて水平方向に保持する載置段部を形成し、前記笠石の下面にはその両端付近に前記一対の支柱と嵌合する一対の嵌合凹部を形成しているので、
石基台と一対の石支柱と笠石とによって、複数枚の霊標石板を立設して保持することができ、また屋根付きで総石造りの、豪華で威厳のある霊標立を提供することができる。
しかも複数枚の霊標石板は、角棒石により挟持されることで一対の石支柱間に立設されているので、必要に応じて前記角棒石による挟持を解くことにより、ごく簡単に霊標石板を霊標立から取り出し、或いは霊標立に立設することができる。
従って加除式の霊標立として、霊標を取り扱う際の自由度が大きい。
勿論、組み合わせた石基台、石支柱、笠石、霊標石板は、それらを組み解くこともできる。
また請求項７に記載の霊標立によれば、上記請求項６に記載の構成による効果に加えて、一対の石支柱には、該一対の石支柱の間に立設して並べられる複数枚の霊標石板のうち両端にある霊標石板の側縁を受け入れる縦嵌合溝が形成されているので、
一対の石支柱間に並んで立設される霊標石板の立設を、より確実なものとすることができる。
【図面の簡単な説明】
【図１】本考案の第１の実施形態である霊標立の全体斜視図である。
【図２】本考案の第１の実施形態である霊標立の分解斜視図である。
【図３】笠石の正面図である。
【図４】図３のＡ−Ａ断面図である。
【図５】笠石の底面図である。
【図６】本考案の第１の実施形態である霊標立の縦断面図である。
【図７】本考案の第２の実施形態である霊標立の全体斜視図である。
【図８】本考案の第２の実施形態である霊標立の分解斜視図である。
【図９】笠石の正面図である。
【図１０】笠石の底面図である。
【図１１】笠石の側面図である。
【図１２】図９のＢ−Ｂ断面図である。
【図１３】本考案の第２の実施形態である霊標立の縦断面図である。
【図１４】本考案の第３の実施形態である霊標立の全体斜視図である。
【図１５】本考案の第３の実施形態である霊標立の分解斜視図である。
【図１６】本考案の第３の実施形態である霊標立の縦断面図である。
【符号の説明】
１０　　石基台
１１　　嵌合穴部
１２　　立設溝
２０　　石支柱
２１、２２　突出部
２３　　縦嵌合溝
２４　　切り込み模様
２５　　載置段部
３０　　霊標石板
４０　　笠石
４１　　嵌合凹部
４２　　受入溝
４２ａ　溝の底
４２ｂ　傾斜側面
４２ｃ　カット面
５０　　角棒石
Ｓ　　　間隙
【図１】
0003098472.tif 000003
【図２】
0003098472.tif 000004
【図３】
0003098472.tif 000005
【図４】
0003098472.tif 000006
【図５】
0003098472.tif 000007
【図６】
0003098472.tif 000008
【図７】
0003098472.tif 000009
【図８】
0003098472.tif 000010
【図９】
0003098472.tif 000011
【図１０】
0003098472.tif 000012
【図１１】
0003098472.tif 000013
【図１２】
0003098472.tif 000014
【図１３】
0003098472.tif 000015
【図１４】
0003098472.tif 000016
【図１５】
0003098472.tif 000017
【図１６】
0003098472.tif 000018